(57)【要約】      （修正有）【課題】自転車に取り付け可能で、充電機能を有し、一般の灯具としても使用できる引っ掛け可能式車灯を提供する。【解決手段】引っ掛け可能式車灯は、筐体と、筐体内に設置される発光ユニット１２と、筐体に接続されると共に、挟持部１３１を有する挟持ユニット１３とを備え、挟持部が柱体を挟持することで、発光ユニットを、柱体上に固定させる。さらに発光ユニットに電力を供給する電池ユニット１４と、電池ユニットに電気的に接続される充電ユニット１５とを備える。接続孔１３２と接続部１１３２の設計により、着脱が可能であり、一般の灯具としても使用できる。【選択図】図２
0003212350.tif 000002
【実用新案登録請求の範囲】
【請求項１】
筐体と、前記筐体内に設置される発光ユニットと、前記筐体に接続されると共に、挟持部を有する挟持ユニットとを備える引っ掛け可能式車灯であって、
前記挟持部により柱体を挟持することで、前記発光ユニットを、前記挟持ユニットを介して前記柱体上に固定させることを特徴とする、
引っ掛け可能式車灯。
【請求項２】
さらに前記発光ユニットに電気的に接続され、前記発光ユニットに電力を供給するための電池ユニットと、前記電池ユニットに電気的に接続される充電ユニットとを備えることを特徴とする、請求項１に記載の引っ掛け可能式車灯。
【請求項３】
前記発光ユニットは、ＬＥＤユニットと、ＬＥＤ制御基板と、電源スイッチとを有し、前記ＬＥＤユニットは、前記ＬＥＤ制御基板上に設置され、前記ＬＥＤ制御基板は、前記筐体内に設置されると共に、前記電池ユニットに電気的に接続され、前記電源スイッチは、前記筐体上に設置され、なお前記電源スイッチを介して前記電池ユニットから前記ＬＥＤユニットと前記ＬＥＤ制御基板に電力を供給することを特徴とする、請求項２に記載の引っ掛け可能式車灯。
【請求項４】
前記充電ユニットがｍｉｎｉ  ＵＳＢ、ｍｉｃｒｏ  ＵＳＢ、及びＵＳＢ  ３．０のいずれか１つであることを特徴とする、請求項２に記載の引っ掛け可能式車灯。
【請求項５】
前記筐体は、前記ＬＥＤユニットと、前記ＬＥＤ制御基板と、前記電池ユニットとを収容するための収容体と、前記収容体の一端に接続される上蓋と、前記収容体の他端に接続される下蓋とを有し、前記下蓋は、前記充電ユニットに電気的に接続される充電コネクタと、前記挟持ユニットに接続するための接続部とを含むことを特徴とする、請求項３に記載の引っ掛け可能式車灯。
【請求項６】
前記挟持ユニットには、さらに前記下蓋の前記接続部に接続するための接続孔を有することを特徴とする、請求項５に記載の引っ掛け可能式車灯。
【考案の詳細な説明】
【技術分野】
【０００１】
本考案は、灯具の技術分野に係り、特に、引っ掛け可能式車灯に関するものである。
【背景技術】
【０００２】
自転車の余暇活動の盛行につれて、各種各様の自転車アクセサリーが開発されている。例えば、車灯、警示灯、車用ベル、携帯電話ホルダ及び衛星ナビゲーションなどのアクセサリーが挙げられる。これらのアクセサリーは、通常、自転車のハンドルバー上に装着するために用いられるものであるが、自転車のハンドルバー上には、これほど多くのアクセサリーを収納するための十分な空間を確保できるとは思えない。
また、現在、大部分の自転車には、十分な数の安全なライト装置を取り付けていないので、自転車乗りの安全性がオートバイ乗りや自動車運転の安全性よりも低い。さらに、現在、台湾や大部分の都市道路では、十分な数の自転車専用道路をまだ設置していないため、自転車は、自動車及びオートバイと車道を共用しなければならない。上記の原因により、仮に、自転車が自動車やオートバイと車道を走る時、十分な数かつ安全なライトマルチメディア装置を有さないと、安全性を大幅に低下させてしまうという問題があった。
【０００３】
そのため、本願の考案者は、従来の自転車がハンドルバー上に高輝度の車灯を有さないことに鑑みて、極力研究考案した結果、本考案の引っ掛け可能式車灯を研究開発して完成させた。
【考案の概要】
【考案が解決しようとする課題】
【０００４】
本考案の主な目的は、引っ掛け可能式車灯を提供することにある。本考案は、充電ユニットを備える設計によって、本考案の引っ掛け可能式車灯に充電の機能を持たせるほか、接続孔と接続部の設計によって、本考案の引っ掛け可能式車灯に着脱機能を持たせることによって、一般の灯具として使用できる。
【課題を解決するための手段】
【０００５】
本考案の上記の主な目的を達成するために、本願の考案者は、引っ掛け可能式車灯を提供する。
【０００６】
本考案は、筐体と、前記筐体内に設置される発光ユニットと、前記筐体に接続されると共に、挟持部を有する挟持ユニットとを備え、その内、前記挟持部により柱体を挟持することで、前記発光ユニットを、前記挟持ユニットを介して前記柱体上に固定させる。
【０００７】
また、かかる引っ掛け可能式車灯は、さらに前記発光ユニットに電気的に接続され、前記発光ユニットに電力を供給するための電池ユニットと、前記電池ユニットに電気的に接続される充電ユニットとを備える。
【０００８】
また、前記発光ユニットは、ＬＥＤユニットと、ＬＥＤ制御基板と、電源スイッチとを有し、前記ＬＥＤユニットは、前記ＬＥＤ制御基板上に設置され、その内、前記ＬＥＤ制御基板は、前記筐体内に設置されると共に、前記電池ユニットに電気的に接続され、前記電源スイッチは、前記筐体上に設置され、なお前記電源スイッチを介して前記電池ユニットから前記ＬＥＤユニットとＬＥＤ制御基板に電力を供給する。
【０００９】
また、前記充電ユニットがｍｉｎｉ  ＵＳＢ、ｍｉｃｒｏ  ＵＳＢ、及びＵＳＢ  ３．０のいずれか１つである。
【００１０】
また、前記筐体は、前記ＬＥＤユニットと、前記ＬＥＤ制御基板と、前記電池ユニットとを収容するための収容体と、前記収容体の一端に接続される上蓋と、前記収容体の他端に接続される下蓋とを有し、下蓋は、前記充電ユニットに電気的に接続される充電コネクタと、前記挟持ユニットに接続するための接続部とを含む。
【００１１】
また、前記挟持ユニットには、さらに前記下蓋の前記接続部に接続するための接続孔を有する。
【図面の簡単な説明】
【００１２】
【図１】本考案の引っ掛け可能式車灯の斜視図である。
【図２】本考案の引っ掛け可能式車灯の分解立体図である。
【図３】本考案の筐体と挟持ユニットの分解図である。
【考案を実施するための形態】
【００１３】
本考案の引っ掛け可能式車灯をより明瞭に記述するために、添付図面を参照しながら、本考案の好適な実施例を以下に詳述する。
【００１４】
それぞれ本考案の引っ掛け可能式車灯の斜視図、分解立体図及び本考案の筐体と挟持ユニットの分解図である図１、図２と図３とを同時に参照する。
図示のように、本考案が提出した引っ掛け可能式車灯は、筐体１１と、発光ユニット１２と、挟持ユニット１３と、電池ユニット１４と、充電ユニット１５とを備える。その内、前記発光ユニット１２は、ＬＥＤユニット１２１と、ＬＥＤ制御基板１２２と、電源スイッチ１２３とを有する。
【００１５】
上記のように、前記電池ユニット１４は、前記発光ユニット１２に電気的に接続され、前記発光ユニット１２に電力を供給するために用いられるものであり、なお前記充電ユニット１５は、前記電池ユニット１４に電気的に接続される。さらに、前記ＬＥＤユニット１２１は、前記ＬＥＤ制御基板１２２上に設置され、その内、前記ＬＥＤ制御基板１２２は、前記筐体１１内に設置されると共に、前記電池ユニット１４に電気的に接続される。
同時に、前記電源スイッチ１２３は、前記筐体１１上に設置され、なお前記電源スイッチ１２３を介して前記電池ユニット１４から前記ＬＥＤユニット１２１とＬＥＤ制御基板１２２に電力を供給する。ここで、特に説明すべきことは、前記充電ユニット１５はｍｉｎｉ  ＵＳＢ、ｍｉｃｒｏ  ＵＳＢ、及びＵＳＢ  ３．０のいずれか１つであってもよい。
【００１６】
図２を参照する。前記筐体１１は、上蓋１１１と、収容体１１２と、下蓋１１３とを有し、その内、前記収容体１１２は、前記ＬＥＤユニット１２１と、前記ＬＥＤ制御基板１２２と、前記電池ユニット１４とを収容するために用いられるものであり、前記上蓋１１１は、前記収容体１１２の一端に接続される。
さらに、前記下蓋１１３は、前記収容体１１２の他端に接続されると共に、充電コネクタ１１３１と、接続部１１３２とを含み、その内、前記充電コネクタ１１３１は、前記充電ユニット１５に電気的に接続される。なお前記接続部１１３２は、前記挟持ユニット１３に接続するために用いられるものである。
【００１７】
図２と図３とを同時に参照する。前記挟持ユニット１３は、さらに接続孔１３２を有し、前記下蓋１１３の前記接続部１１３２に接続するために用いられるものである。こうして、前記筐体１１を前記挟持ユニット１３に接続することができ、かつ前記挟持部１３１により柱体を挟持することで、前記発光ユニット１２を、前記挟持ユニット１３を介して前記柱体上に固定させることができる。
【００１８】
上記の詳細な説明から、本考案の引っ掛け可能式車灯は、完全かつ明瞭に開示されており、本考案が下記の利点を有することが分かる。
【００１９】
１．本考案の充電ユニットを備える設計によれば、引っ掛け可能式車灯に充電の機能を持たせることによって、車灯の電源切れ時、充電ユニットを介してその発光ユニットを充電する。ここからわかるように、本考案によると、引っ掛け可能式車灯が一定の程度において充電の効果を持つことができる。
【００２０】
２．また、接続孔と接続部の設計によれば、本考案の引っ掛け可能式車灯に着脱機能を持たせることによって、一般の灯具として使用できる。
【００２１】
強調すべき点は、上記の詳細な説明は、本考案の実施可能な実施例を具体的に説明したものであり、本考案の権利範囲はこれらの実施例に限定されるものではなく、本考案の技術的精神を逸脱しない限り、その等効果実施又は変更は、なお、本願の実用新案登録請求の範囲内に含まれる点である。
【符号の説明】
【００２２】
１１      筐体
１２      発光ユニット
１３      挟持ユニット
１４      電池ユニット
１５      充電ユニット
１１１    上蓋
１１２    収容体
１１３    下蓋
１２１    ＬＥＤユニット
１２２    ＬＥＤ制御基板
１２３    電源スイッチ
１３１    挟持部
１３２    接続孔
１１３１  充電コネクタ
１１３２  接続部
【図１】
0003212350.tif 000003
【図２】
0003212350.tif 000004
【図３】
0003212350.tif 000005